(57)【要約】  本発明は、分散装置及びこれを含む脱泡装置に関するもので、下側に傾いて延長された傾斜面、及び傾斜面の上部に形成されて原料を傾斜面に流入させる原料流入ノズルを具備する分散板；及び分散板の傾斜面から離隔されて傾斜面との間に隙間を形成することで原料が隙間を通じて流れるように構成されるバンドを含む分散装置を提供する。
2021511201.tif 000002
【特許請求の範囲】
【請求項１】
下側に傾いて延長された傾斜面、及び傾斜面の上部に形成されて原料を傾斜面に流入させる原料流入ノズルを具備する分散板；及び
分散板の傾斜面から離隔されて傾斜面との間に隙間を形成することで原料が隙間を通じて流れるように構成されるバンドを含むことを特徴とする、分散装置。
【請求項２】
傾斜面は、反円錐形状で構成され、バンドは、傾斜面の上側に延長されるダム形状及び傾斜面のまわり方向に延長されるリング形状で構成されることを特徴とする、請求項１に記載の分散装置。
【請求項３】
分散板は、中央に形成されたホール、ホールを取り囲むように上側に延長された内壁、傾斜面の下部末端から下側に延長された側面を追加で具備し、原料流入ノズルは、内壁に隣接して配置されることを特徴とする、請求項１または２に記載の分散装置。
【請求項４】
バンドは、傾斜面に２〜５個で配置されることを特徴とする、請求項１〜３のいずれか一項に記載の分散装置。
【請求項５】
傾斜面とバンドとの間の隙間の厚さは、１〜５ｍｍであることを特徴とする、請求項１〜４のいずれか一項に記載の分散装置。
【請求項６】
傾斜面の傾斜角度は、水平面を基準で２０〜４０度であることを特徴とする、請求項１〜５のいずれか一項に記載の分散装置。
【請求項７】
原料流入ノズルは、６０〜１８０度間隔ごとに２〜６個で配置されることを特徴とする、請求項１〜６のいずれか一項に記載の分散装置。
【請求項８】
真空ポンプと連結される真空ホール及び脱泡された原料が排出される排出ホールを具備するチャンバ；及び
チャンバの内部に配置される請求項１〜７のいずれか一項に記載の分散装置を含むことを特徴とする、脱泡装置。
【請求項９】
脱泡装置は、原料が分散装置を通じて分散された後にチャンバの内壁に沿って下側に落ちながら流れて流下フィルムを形成する流下フィルム脱泡装置であることを特徴とする、請求項８に記載の脱泡装置。
【請求項１０】
原料は、重合体及び残留モノマーを含むことを特徴とする、請求項８または９に記載の脱泡装置。
【請求項１１】
原料に含まれた気泡及び残留モノマーを同時に除去し、残留モノマー除去率は、６０％以上であることを特徴とする、請求項１０に記載の脱泡装置。
【発明の詳細な説明】
【技術分野】
【０００１】
本発明は、分散装置及びこれを含む脱泡装置に関し、特に、流下フィルム（ｆａｌｌｉｎｇ  ｆｉｌｍ）脱泡装置に用いられる分散装置及びこれを含む流下フィルム脱泡装置に関する。
【背景技術】
【０００２】
図１は、従来の脱泡装置を示す概略図であって、従来の脱泡装置１０は、チャンバ１１、分散部材１２、原料供給部２０及び真空ホール１７を含む。真空ホール１７は、真空ポンプと連結される。
【０００３】
分散部材１２は、リング形状を有するベース部１３、ベース部１３の内径側に配置される内壁１５及びベース部１３の外径側に配置される外壁１４を含み、分散部材１２には、原料が貯蔵される。このとき、分散部材１２のベース部１３の中央領域には、真空ホール１７と連結される貫通ホール１６が形成される。
【０００４】
原料供給部２０から分散部材１２に原料が供給されると、ベース部１３に原料が収容され、原料のレベルが分散部材１２の所定高さに到逹するまで原料が分散部材１２に滞留するようになり、外壁１４を氾濫して原料がチャンバ１１の内側に塗布される。
【０００５】
しかし、分散部材１２内に原料が停滞されることにより、ファウリング（ｆｏｕｌｉｎｇ）が発生する問題を有する。
【０００６】
また、従来技術では、均一な壁面塗布のための複雑なデザインの上部分配機（ｄｉｓｔｒｉｂｕｔｏｒ）及びフィルム壁面に均一に塗布させるためのワイパー（ｗｉｐｅｒ）のような機械的装置の設置が必要なので、設置費用が増加して運転と維持補修が難しいという短所が発生する。
【発明の概要】
【発明が解決しようとする課題】
【０００７】
本発明の目的は、ファウリングを防止することができ、設置費用を減少することができ、運転と維持補修が容易である分散装置を提供することである。
【０００８】
本発明の他の目的は、脱泡効率及び残留モノマーの制御率を増加させ得る脱泡装置を提供することである。
【課題を解決するための手段】
【０００９】
本発明は、上述した目的を達成するために、下側に傾いて延長された傾斜面、及び傾斜面の上部に形成されて原料を傾斜面に流入させる原料流入ノズルを備える分散板；及び分散板の傾斜面から離隔されて傾斜面との間に隙間を形成することで原料が隙間を通じて流れるように構成されるバンドを含む分散装置を提供する。
【００１０】
本発明で傾斜面は、反円錐形状で構成され得、バンドは、傾斜面の上側に延長されるダム形状及び傾斜面のまわり方向に延長されるリング形状で構成され得る。
【００１１】
本発明で分散板は、中央に形成されたホール、ホールを取り囲むように上側に延長された内壁、傾斜面の下部末端から下側に延長された側面を追加で具備することができ、原料流入ノズルは、内壁に隣接するように配置され得る。
【００１２】
本発明でバンドは、傾斜面に２〜５個で配置され得る。
【００１３】
本発明で傾斜面とバンドとの間の隙間の厚さは、１〜５ｍｍであってもよい。
【００１４】
本発明で傾斜面の傾斜角度は、水平面を基準で２０〜４０度であってもよい。
【００１５】
本発明で原料流入ノズルは、６０〜１８０度間隔ごとに２〜６個で配置され得る。
【００１６】
また、本発明は、真空ポンプと連結される真空ホール及び脱泡された原料が排出される排出ホールを具備するチャンバ；及びチャンバの内部に配置される上述した分散装置を含む脱泡装置を提供する。
【００１７】
本発明による脱泡装置は、原料が分散装置を通じて分散された後にチャンバの内壁に沿って下側に落ちながら流れて流下フィルムを形成する流下フィルム脱泡装置であってもよい。
【００１８】
本発明で原料は、重合体及び残留モノマーを含む溶液であってもよい。
【００１９】
本発明による脱泡装置は、原料に含まれた気泡及び残留モノマーを同時に除去することができ、残留モノマーの除去率は、６０％以上であってもよい。
【発明の効果】
【００２０】
本発明によると、分散板にダム（ｄａｍ）形式のリングバンド（ｒｉｎｇ  ｂａｎｄ）を設置することで、原料溶液が均一に分布されるようにして脱泡効率及び残留モノマーの除去率が増加する特徴がある。
【００２１】
また、本発明による分散装置は、分散板とリングバンドで構成される比較的単純なデザインを有するので、従来技術に比べて設置費用が減少し、かつ運転と維持補修が容易になる長所がある。
【００２２】
また、従来技術の貯蔵所（ｒｅｓｅｒｖｏｉｒ）には、塗布液が停滞してファウリングが発生する恐れがあるが、本発明の分散装置では停滞領域がなくてファウリングを効果的に防止することができる。
【００２３】
また、従来技術の場合、流入ノズル（ｉｎｌｅｔ  ｎｏｚｚｌｅ）をたくさん設置すると均一塗布が可能であるが、本発明の分散装置には、流入ノズルを相対的に少なく設置しても均一塗布が可能である。
【００２４】
また、本発明の脱泡装置を用いる場合、従来技術と同等以上の脱泡効果及び残留モノマーの除去率を得ることができ、設置費用及び運営費用を減少させることができるので、事業的価値が高い。
【００２５】
また、本発明の脱泡装置を用いる場合、単純な構造で複雑な機械的装置なしに脱泡及び残留モノマーの除去が可能なので、技術的価値が高い。
【図面の簡単な説明】
【００２６】
【図１】図１は、従来の脱泡装置の概略的な構成図である。
【図２】図２は、本発明による脱泡装置の概略的な構成図である。
【図３】図３は、本発明による分散板とリングバンドを具備する分散装置の構成図である。
【発明を実施するための形態】
【００２７】
以下、本発明を詳しく説明する。
【００２８】
図２は、本発明による脱泡装置の概略的な構成図であり、図３は、本発明による分散板とリングバンドを具備する分散装置の構成図であって、本発明による脱泡装置は、チャンバ１１０、分散板１２０、原料供給部１３０、リングバンド１４０、１４１などで構成され得る。
【００２９】
本発明による脱泡装置は、原料から気泡及び残留モノマーを除去する脱泡工程に用いられ得、例えば、重合された溶液からファイバー（Ｆｉｂｅｒ）を製造する放射工程内の脱泡工程に用いられ得る。ファイバーの製造工程で、溶液から気泡及び残留モノマーを除去することで、ファイバーが切れる工程の不安定などを解消することができる。
【００３０】
図２を参照すると、チャンバ１１０は、円筒状で構成され得、下部は直径が減少するテーパー構造を有することができる。チャンバ１１０の上部には、真空ポンプと連結される真空ホール１１２が形成され、チャンバ１１０の下部には、脱泡されて残留モノマーが除去された原料が排出される排出ホール１１３が形成され得る。真空ホール１１２は、図面に例示されたように、チャンバ１１０の内壁１１１側に配置され得、またチャンバ１１０の中心軸Ｃと同軸で配置され得る。類似に、排出ホール１１３も中心軸Ｃと同軸で配置されるか内壁１１１側に配置され得る。
【００３１】
図２で分散板１２０は、簡略化のために四角形に例示されているが、分散板１２０の具体的な構造は、図３と同一であり、分散板１２０に対しては詳細に後述する。
【００３２】
分散板１２０は、チャンバ１１０の上部側に配置され得、原料供給部１３０は、分散板１２０の上部側に配置され得るが、分散板１２０と原料供給部１３０の位置はこれに制限されない。原料供給部１３０は、チューブやパイプ形態などで構成され得、分散板１２０の原料流入ノズルと連結され得る。
【００３３】
原料供給部１３０から分散板１２０にポンプや重力などによって溶液形態の原料Ｆが供給されると、原料Ｆは、分散板１２０の表面に沿って流れてから、チャンバ１１０の内壁１１１に沿って下方へ落ちながら流れて所定厚さの均一な流下フィルムを形成する。このとき、真空ホール１１２と連結された真空ポンプ（図示せず）によりチャンバ１１０内には陰圧が形成され、チャンバ１１０の内壁１１１に形成された流下フィルムから気泡が除去され得る。すなわち、原料を薄いフィルムに形成するために別途の装備などを用いて外力を加えなくても分散板１２０を通じて原料Ｆをチャンバ１１０の内壁面に均一に塗布することで、原料Ｆがチャンバ１１０の内面に沿って重力方向に流れながら均一な厚さのフィルムが形成され得る。図２で矢印で表示された内壁１１１領域を脱泡領域と見られる。
【００３４】
図３の上部図面は、分散板１２０及びリングバンド１４０、１４１の部分側面図であり、図３の下部図面は、分散板１２０及びリングバンド１４０、１４１を上側から見た斜視図である。図３を参照すると、分散板１２０は、通過ホール１２１、内壁１２２、原料流入ノズル１２３、傾斜面１２４、側面１２５などで構成され得る。分散板１２０は、上から見たとき円盤形態で構成され、側面から見たときには、上部が切られた反円錐形態で構成され得る。分散板１２０は、濡れ（ｗｅｔｔｉｎｇ）特性に優れた材質、例えば、ＳＵＳ材質のような金属材質又はプラスチック材質で形成され得る。
【００３５】
分散板１２０は、好ましくは、全体的に板形態で構成され得る。すなわち、反円錐形状の分散板１２０の下部は開放され、内部は空の状態であってもよい。しかし、これとは異なり、下部が密閉されるか、内部が満たされていてもよい。分散板１２０が板形態である場合、原料流入ノズル１２３を除いて内壁１２２、傾斜面１２４及び側面１２５は、全て板形態で構成され得、この場合、傾斜面１２４は傾斜板で構成され、側面１２５は側板で構成され得る。溶液形態の原料は、分散板１２０の外面である傾斜面１２４及び側面１２５に沿って流れるようになる。
【００３６】
通過ホール１２１は、チャンバ１１０の真空ホール１１２側にガス（空気、気泡、揮発された残留モノマーなど）を通過させる役目をする。すなわち、通過ホール１２１は、分散板１２０を貫通するように形成されて真空ホール１１２とチャンバ１１０の下部領域に流体が移動するように連結する。通過ホール１２１は、分散板１２０の中央に形成され得、またチャンバ１１０の中心軸Ｃと同軸で配置され得る。通過ホール１２１は、円形で構成され得、その直径は、例えば、分散板１２０の全体直径に対して１０〜４０％であってもよい。通過ホール１２１の直径が過度に小さいと、圧力降下が大きく発生して真空圧力が十分に伝達されないことがある。
【００３７】
内壁１２２は、原料Ｆが通過ホール１２１側に流れないように阻む役目をし、またガス流れをガイドする役目もすることができる。内壁１２２は、リング形態で通過ホール１２１を取り囲むように上側垂直方向（仮想水平面基準）に延長されて形成され得る。内壁１２２の高さは、例えば、分散板１２０の全体高さに対して１０〜４０％であってもよい。
【００３８】
原料流入ノズル１２３は、分散板１２０の上面（外面）である傾斜面１２４に原料を供給する役目をする。原料流入ノズル１２３は、原料供給部１３０とチューブやパイプなどで連結され得る。原料流入ノズル１２３は、内壁１２２に隣接して又は内壁１２２と接触して形成され得る。原料流入ノズル１２３は、傾斜面１２４から上側垂直方向（仮想水平面基準）に突出形成され得、その上部が開放され得る。原料流入ノズル１２３は、傾斜面１２４に置かれるので、その高さが一定である場合、図３のように、側面から見たとき台形で構成され得、これによって、原料流入ノズル１２３の上端部も下向きに傾けられる。
【００３９】
原料は、例えば、原料流入ノズル１２３の下部から供給されて満ちてから、原料流入ノズル１２３の開放された上部を通じて低い位置にある下側上端部からあふれることで、傾斜面１２４に流入され得る。しかし、これと異なり、原料は、原料流入ノズル１２３の側面に形成されたホール、又は原料流入ノズル１２３と傾斜面１２４の間に形成された隙間を通じて傾斜面１２４に流入されてもよい。
【００４０】
原料流入ノズル１２３は、均一塗布及び費用などを考慮して分散板１２０又は内壁１２２のまわり方向に沿って６０〜１８０度、好ましくは、７２〜１２０度間隔ごとに、２〜６個、好ましくは、３〜５個で設置され得る。図３には、９０度間隔で４個の原料流入ノズル１２３が設置されている。原料流入ノズル１２３の間隔は、一定な等間隔であることが好ましい。原料流入ノズル１２３の数が過度に少ないと、均一塗布が難しく、過度に多いと、構造が複雑になり、費用が増加する。原料流入ノズル１２３の直径は特に制限されず、例えば、分散板１２０の全体直径に対して１〜１０％であってもよい。従来技術では、原料流入ノズルをたくさん設置すると均一塗布が可能であるが、本発明では、分散板１２０の傾斜構造とダム形式のリングバンド１４０、１４１などにより原料流入ノズル１２３を相対的に少なく設置しても均一塗布が可能である。
【００４１】
傾斜面１２４は、原料Ｆが停滞されないで均一に流れるようにする役目をする。傾斜面１２４は、内壁１２２からチャンバ内壁１１１と隣接した部位である側面１２５まで下側に傾いて延長されて形成され得る。傾斜面１２４は、分散板１２０の大部分の面積を占め、例えば、通過ホール１２１を含んだ分散板１２０の全体面積のうち６５〜９５％を占めることができる。図３で赤色で表示した原料Ｆにより遮られているが、原料Ｆが塗布された領域も傾斜面１２４領域である。傾斜面１２４は、分散板１２０の大部分を占めるので、分散板１２０のように反円錐形状で構成され得る。
【００４２】
傾斜面１２４の傾斜角度Ａは、原料溶液粘度、原料流入ノズル１２３の個数などを考慮して適切に設定され得るが、例えば、仮想の水平面を基準で２０〜４０度、好ましくは、２５〜３５度又は２８〜３２度であってもよい。傾斜角度Ａが過度に小さいと、原料Ｆが停滞されるか流れ速度が遅くなり、過度に大きいと、流れ速度が速くて均一塗布が難しくなる。従来技術では貯蔵所に塗布液が停滞してファウリングが発生する恐れがあるが、本発明では傾斜面構造により停滞領域がなくてファウリングを効果的に防止することができる。
【００４３】
側面１２５は、原料Ｆをチャンバ１１０の内壁１１１側に供給する役目をする。側面１２５は、傾斜面１２４のチャンバ側の末端から下側垂直方向にリング形態で延長されて形成され得る。側面１２５の高さは、例えば、分散板１２０の全体高さに対して１０〜４０％であってもよい。
【００４４】
図３を参照すると、リングバンド１４０、１４１は、原料Ｆを均一分布させて脱泡効率を増加させ、原料又はフィルムの厚さを薄くする役目をする。リングバンド１４０、１４１は、一種の障壁又は拡散作用をして原料Ｆが均一に広がるようにすることができる。図３から確認できるように、赤色で表示された原料Ｆは、原料流入ノズル１２３から出た後に傾斜面１２４に沿って放射形で流れてから、第１リングバンド１４０を通過しながらさらに広い面積に広がるようになり、第２リングバンド１４１を通過しながらさらに広い面積に広がるようになることで、終局には傾斜面１２４の末端部の全体領域にわたって薄い厚さで均一塗布が可能になる。
【００４５】
リングバンド１４０、１４１は、分散板１２０の傾斜面１２４との間に隙間Ｇが形成されて原料Ｆが隙間Ｇを通じて流れるように分散板１２０の傾斜面１２４から離隔され得る。傾斜面１２４からリングバンド１４０、１４１を離隔させ、離隔されたリングバンド１４０、１４１を支持及び固定するために、連結部材や支持部材などを用いてリングバンド１４０、１４１を離隔させると同時に、傾斜面１２４又は他のものに固定することができる。連結部材や支持部材は、リングバンド１４０、１４１と傾斜面１２４を直接連結することが好ましいが、リングバンド１４０、１４１を傾斜面１２４ではない他のもの（例えば、内壁１２２、チャンバ１１０など）に連結してもよい。連結部材や支持部材は、独立的な部材であるか、リングバンド１４０、１４１又は傾斜面１２４と一体化されたものであってもよい。固定方法は、適切に設定され得、例えば、接着、溶接、螺合、嵌め込みなどであってもよい。連結部材や支持部材の形状、個数、サイズ、間隔などは、原料の流れなどを考慮して適切に設定され得る。
【００４６】
リングバンド１４０、１４１は、上側垂直方向（仮想水平面を基準）に延長されながら環状で構成され得る。具体的に、リングバンド１４０、１４１は、傾斜面１２４の上側に延長されるダム形状及び傾斜面１２４のまわり方向に延長されるリング形状で構成され得る。すなわち、上から見たときには、円形であってもよく、側面から見たときには、板形態であってもよい。リングバンド１４０、１４１は、まわり方向に切られることなしに全体的に連結されていることが好ましい。
【００４７】
リングバンド１４０、１４１の個数は、原料溶液粘度、原料流入ノズル１２３の個数、傾斜面１２４の傾斜角度Ａなどを考慮して適切に設定され得、例えば、分散板１２０の傾斜面１２４に２〜５個、好ましくは、２〜４個、２〜３個又は３〜４個で配置され得る。リングバンド１４０、１４１の数が過度に少ないと、均一塗布効果が不十分であり、過度に多いと、原料の流れが低下されるか費用が上昇する。
【００４８】
分散板１２０の傾斜面１２４とリングバンド１４０、１４１との間に形成された隙間Ｇの厚さは、原料溶液粘度、原料流入ノズル１２３の個数、傾斜面１２４の傾斜角度Ａ、リングバンド１４０、１４１の個数などを考慮して適切に設定され得、例えば、０．１〜１０ｍｍ、好ましくは、０．３〜９ｍｍ、０．５〜８ｍｍ、０．７〜７ｍｍ、０．９〜６ｍｍ、１〜５ｍｍ、より好ましくは、１〜４ｍｍ、１〜３ｍｍ、１〜２ｍｍ、２〜４ｍｍ、２〜３ｍｍ又は３〜４ｍｍであってもよい。隙間Ｇの厚さが過度に小さいと、原料の流れが低下され、過度に大きいと、均一塗布効果が不十分である。
【００４９】
第１リングバンド１４０の直径は、例えば、分散板１２０の全体直径に対して４０〜８０％であってもよい。第２リングバンド１４１の直径は、例えば、分散板１２０の全体直径に対して５０〜９５％であってもよい。リングバンド１４０、１４１の厚さは、例えば、分散板１２０の全体直径に対して０．００１〜３％であってもよい。リングバンド１４０、１４１の高さは、例えば、分散板１２０の全体高さに対して１０〜４０％であってもよい。第１リングバンド１４０と内壁１２２の間隔、第１リングバンド１４０と第２リングバンド１４１の間隔は、例えば、分散板１２０の全体直径に対して１０〜４０％であってもよい。
【００５０】
分散板１２０の直径は、チャンバ１１０の内径より小さく、チャンバ１１０の内径に対する分散板１２０の最大直径の割合は、９８％以上（１００％未満）であってもよい。このような直径差により、チャンバ１１０と分散板１２０の間に間隔が形成される。上記割合が９８％未満であると、原料Ｆがそのまま下に落ちてチャンバ１１０の内壁１１１に沿って流れなくて流下フィルムの形成が不可能である。
【００５１】
分散板１２０の側面１２５及びチャンバ１１０の内壁１１１の間の間隔によって流下フィルムの厚さが決定され得る。すなわち、チャンバ１１０の内径に対する分散板１２０の最大直径の割合によって流下フィルムの厚さを調節することができ、本発明では、薄い厚さの流下フィルムを形成するために、分散板１２０の側面１２５及びチャンバ１１０の内壁１１１の間の間隔を５ｍｍ〜１０ｍｍ又は７ｍｍ〜８ｍｍで調節することができる。分散板１２０の側面１２５及びチャンバ１１０の内壁１１１の間の間隔が上述した範囲を満足する場合、薄い厚さの流下フィルムを形成することができる。分散板１２０の側面１２５及びチャンバ１１０の内壁１１１の間の間隔が上述した範囲を超過すると、脱泡効果及び残留モノマーの除去効率が低下され得る。分散板１２０の側面１２５及びチャンバ１１０の内壁１１１の間の間隔が上述した範囲未満であると、内壁１１１に流れる流下フィルムが切れる。流下フィルムの厚さは、例えば、３〜１０ｍｍであってもよい。
【００５２】
原料は、重合体及び残留モノマーを含む溶液であってもよい。通常的に重合体を製造するとき、不可避に最終生成物で未反応モノマーが残留するようになり、このような残留モノマーは除去しなければならない。モノマーは、通常的に揮発性を有するので、本発明による脱泡装置を用いて除去することができる。すなわち、本発明では原料に含まれた気泡だけではなく、残留モノマーも同時に除去することができる。重合体の種類は特に制限されず、例えば、ポリアクリロニトリル（ＰＡＮ）及びブタジエンゴム系列重合体などであってもよい。
【００５３】
本発明の流下フィルム脱泡装置の残留モノマー除去率は、６０％以上、好ましくは、６５％以上、７０％以上、７５％以上又は８０％以上であってもよい。本発明の効果側面で流下フィルム脱泡装置の残留モノマー除去率が高いほど有利であるので、上限は特に制限されず、例えば、９９％以下、９５％以下又は９０％以下であってもよい。残留モノマー除去率が上述した範囲を満足することで、流下フィルム脱泡装置の設置費用及び運営費用を減少させることができる。このとき、残留モノマーは、液体クロマトグラフィー（ＬＣ）などを用いて測定され得る。
【００５４】
また、本発明は、上述した流下フィルム脱泡装置を用いて流下フィルム脱泡方法を提供する。本発明による脱泡方法は、分散板１２０の原料流入ノズル１２３を通じて原料を傾斜面１２４に供給する段階；供給された原料が傾斜面１２４とリングバンド１４０、１４１の間に形成された隙間Ｇを通過しながら通過前より広い面積に分散されるようにする段階；分散された原料がチャンバ１１０の内壁１１１に沿って下側に落ちながら流れて流下フィルムを形成する段階；チャンバ１１０内に陰圧を形成して流下フィルムから気泡及び残留モノマーを除去する段階を含むことができる。
【００５５】
分散板１２０での原料の流れ及びチャンバ１１０での流下フィルムの形成は、上述した通りである。チャンバ１１０の陰圧は、真空ポンプを通じて形成することができる。陰圧は、例えば、１０〜１５ｍｂａｒ、１２〜１５ｍｂａｒ、１３〜１５ｍｂａｒ又は１４〜１５ｍｂａｒであってもよい。上述した範囲の陰圧下で、原料から気泡及び残留モノマーの除去効率に優れる。チャンバ１１０の運転温度は、例えば、５０〜１００℃、５４〜９４℃、５８〜８８℃、６２〜８２℃又は６６〜７６℃であってもよい。チャンバ１１０の運転時間は、例えば、５〜１０分、５〜９分、５〜８分又は５〜７分であってもよい。上述した条件で気泡及び残留モノマーの除去效率が優れる。
【００５６】
本発明の流下フィルム脱泡方法によると、脱泡効率及び残留モノマー除去効率が増加し、設置費用、運転及び維持費用が減少し、ファウリングを効果的に防止することができる。
【符号の説明】
【００５７】
１０：脱泡装置
１１：チャンバ
１２：分散部材、
１３：ベース部
１４：外壁
１５：内壁
１６：貫通ホール
１７、１１２：真空ホール
２０：原料供給部
１１０：チャンバ
１１１：チャンバ内壁
１１２：真空ホール
１１３：排出ホール
１２０：分散板
１２１：通過ホール
１２２：内壁
１２３：原料流入ノズル
１２４：傾斜面
１２５：側面
１３０：原料供給部
１４０、１４１：リングバンド
Ａ：傾斜角度
Ｃ：中心軸
Ｆ：原料
Ｇ：隙間
【図１】
2021511201.tif 000003
【図２】
2021511201.tif 000004
【図３】
2021511201.tif 000005
【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
下側に傾いて延長された傾斜面、及び傾斜面の上部に形成されて原料を傾斜面に流入させる原料流入ノズルを具備する分散板；及び
分散板の傾斜面から離隔されて傾斜面との間に隙間を形成することで原料が隙間を通じて流れるように構成されるバンドを含むことを特徴とする、分散装置。
【請求項２】
傾斜面は、反円錐形状で構成され、バンドは、傾斜面の上側に延長されるダム形状及び傾斜面のまわり方向に延長されるリング形状で構成されることを特徴とする、請求項１に記載の分散装置。
【請求項３】
分散板は、中央に形成されたホール、ホールを取り囲むように上側に延長された内壁、傾斜面の下部末端から下側に延長された側面を追加で具備し、原料流入ノズルは、内壁に隣接して配置されることを特徴とする、請求項１または２に記載の分散装置。
【請求項４】
バンドは、傾斜面に２〜５個で配置されることを特徴とする、請求項１〜３のいずれか一項に記載の分散装置。
【請求項５】
傾斜面とバンドとの間の隙間の厚さは、１〜５ｍｍであることを特徴とする、請求項１〜４のいずれか一項に記載の分散装置。
【請求項６】
傾斜面の傾斜角度は、水平面を基準で２０〜４０度であることを特徴とする、請求項１〜５のいずれか一項に記載の分散装置。
【請求項７】
原料流入ノズルは、６０〜１８０度間隔ごとに２〜６個で配置されることを特徴とする、請求項１〜６のいずれか一項に記載の分散装置。
【請求項８】
真空ポンプと連結される真空ホール及び脱泡された原料が排出される排出ホールを具備するチャンバ；及び
チャンバの内部に配置される請求項１〜７のいずれか一項に記載の分散装置を含むことを特徴とする、脱泡装置。
【請求項９】
脱泡装置は、原料が分散装置を通じて分散された後にチャンバの内壁に沿って下側に落ちながら流れて流下フィルムを形成する流下フィルム脱泡装置であることを特徴とする、請求項８に記載の脱泡装置。
【請求項１０】
原料は、重合体及び残留モノマーを含むことを特徴とする、請求項８または９に記載の脱泡装置。
【請求項１１】
原料に含まれた気泡及び残留モノマーを同時に除去し、残留モノマー除去率は、６０％以上であることを特徴とする、請求項１０に記載の脱泡装置。
【国際調査報告】
2021511201.tif 000006
2021511201.tif 000007
2021511201.tif 000008
2021511201.tif 000009